(57)【要約】【課題】  単一の浄化処理ラインであっても、軽微な不具合であればＥＧＲの停止を回避することができる浄水システムを提供する。【解決手段】  本発明に係る浄水システム１００は、スクラバー１０１で使用した洗浄水を浄化する浄水システムであって、所定の不具合が発生すると、当該浄水システム１００内において洗浄水を上流側に戻す回帰処理が行われる。かかる構成によれば、所定個所への洗浄水の供給を停止させ、その間に修復作業を行うことができ、不具合の修正後には速やかに浄水システム１００を復旧させることができる。【選択図】図１
2015116529.tif 000002
【特許請求の範囲】
【請求項１】
スクラバーで使用した洗浄水を浄化する浄水システムであって、
所定の不具合が発生すると、当該浄水システム内において洗浄水を上流側に戻す回帰処理が行われる、浄水システム。
【請求項２】
前記スクラバーから抜き取る洗浄水の量を調整する抜取調整弁と、
前記スクラバーから抜き取った洗浄水を一時的に収容する収容タンクと、を備え、
前記回帰処理が行われる際、前記抜取調整弁の制御は、前記収容タンクの水位を一定とする制御から、前記スクラバーの水位を一定とする制御に切り換えられる、請求項１に記載の浄水システム。
【請求項３】
遠心分離処理により洗浄水から異物を分離する遠心分離機をさらに備え、
前記回帰処理には、前記遠心分離機が停止したときに、前記遠心分離機の手前から前記収容タンクへ洗浄水を戻す処理が含まれる、請求項２に記載の浄水システム。
【請求項４】
前記回帰処理には、浄化処理された洗浄水が所定の水質基準を満たしていないときに、当該洗浄水を前記収容タンクへ戻す処理が含まれる、請求項２又は３に記載の浄水システム。
【請求項５】
前記収容タンクよりも下流に位置し、水平方向に対して所定の角度をなす傾斜面を有し、該傾斜面に異物を沈殿させて洗浄水から異物を分離する傾斜管沈澱池と、
該傾斜管沈澱池よりも下流に位置し、遠心分離処理により洗浄水から異物を分離する遠心分離機と、をさらに備える、請求項２に記載の浄水システム。
【請求項６】
前記収容タンクの水位が限界水位に達したとき又は限界水位を超えた状態が所定時間継続したとき、前記回帰処理が中止される、請求項２乃至５のうちいずれか一の項に記載の浄水システム。
【発明の詳細な説明】
【技術分野】
【０００１】
本発明は、排気ガスを洗浄するスクラバーで使用した洗浄水を浄化するための浄水システムに関する。
【背景技術】
【０００２】
エンジンの排気ガスに含まれる窒素酸化物（ＮＯｘ）を低減する手法として、排気ガスをエンジンに戻して酸素濃度を低下させ、燃焼温度度を抑えるＥＧＲ（Exhaust Gas Recirculation）がある。舶用ディーゼルエンジンは、重油を燃料としているため、排気ガスにはカーボンなどのＳＰＭ（Suspended Particulate Matter）が多量に含まれている。そのため、船用ディーゼルエンジンにおいてＥＧＲを行う場合には、排気ガスに含まれるＳＰＭを除去してからエンジンに戻す必要がある。排気ガスからＳＰＭを除去する装置として、洗浄水によって排気ガスを洗浄するスクラバーがある。
【０００３】
スクラバーで使用された洗浄水は、ばいじん（すすなどの固体粒子）等を多く含んでいることから、通常は一定の水質基準を満たしておらず、そのままでは船外放流することができず、また、スクラバーで再利用することもできない。そのため、洗浄水を船外放流したり再利用したりするには、一定の水質基準を満たす程度にまで洗浄水を浄化するための浄水システムが必要である。
【０００４】
スクラバー用の浄水システムは、通常、スクラバーと連動している。そのため、たとえ軽微な不具合であっても浄水システムが停止すると、スクラバーが正常に作動できなくなり、その結果、ＥＧＲを停止せざるを得ない場合が生じる。これを防ぐには、浄水システムに複数の浄化処理ラインを設けることが考えられる（特許文献１及び特許文献２参照）。
【先行技術文献】
【特許文献】
【０００５】
【特許文献１】特許第３８６８３５２号
【特許文献２】特開２００８−１２３４６３号公報
【発明の概要】
【発明が解決しようとする課題】
【０００６】
しかしながら、複数の浄化処理ラインを設けるためには、広い設置場所を確保する必要があり、設置場所が限られた船内ではそれが不可能な場合もある。本発明は、このような事情に鑑みてなされたものであって、浄化処理ラインが１つしかない場合であっても、軽微な不具合であればＥＧＲの停止を回避することができる浄水システムを提供することを目的とする。
【課題を解決するための手段】
【０００７】
本発明のある形態に係る浄水システムは、スクラバーで使用した洗浄水を浄化する浄水システムであって、所定の不具合が発生すると、当該浄水システム内において洗浄水を上流側に戻す回帰処理が行われる。かかる構成によれば、所定個所への洗浄水の供給を停止させ、その間に修復作業を行うことができ、不具合の修正後には速やかに浄水システムを復旧させることができる。そのため、修復作業に時間のかからない軽微な不具合であれば、ＥＧＲの停止を回避することができる。
【０００８】
また、上記の浄水システムにおいて、前記スクラバーから抜き取る洗浄水の量を調整する抜取調整弁と、前記スクラバーから抜き取った洗浄水を一時的に収容する収容タンクと、を備え、前記回帰処理が行われる際、前記抜取調整弁の制御は、前記収容タンクの水位を一定とする制御から、前記スクラバーの水位を一定とする制御に切り換えられるようにしてもよい。かかる構成によれば、スクラバーの水位を一定にすることが優先されるため、スクラバーを継続して稼働させることができる。
【０００９】
また、上記の浄水システムにおいて、洗浄水から異物を分離する遠心分離機をさらに備え、前記回帰処理には、前記遠心分離機が停止したときに、前記遠心分離機の手前から前記収容タンクへ洗浄水を戻す処理が含まれるようにしてもよい。かかる構成によれば、遠心分離機への洗浄水の供給を停止させつつも、不具合の修正後、速やかに浄水システムを復旧させることができる。
【００１０】
また、上記の浄水システムにおいて、前記回帰処理には、浄化処理された洗浄水が所定の水質基準を満たしていないときに、当該洗浄水を前記収容タンクへ戻す処理が含まれるようにしてもよい。かかる構成によれば、船外へ又はスクラバーへの洗浄水の供給を停止させつつも、不具合の修正後、速やかに浄水システムを復旧させることができる。
【００１１】
また、上記の浄水システムにおいて、前記収容タンクよりも下流に位置し、水平方向に対して所定の角度をなす傾斜面を有し、該傾斜面に異物を沈殿させて洗浄水から異物を分離する傾斜管沈澱池と、該傾斜管沈澱池よりも下流に位置し、遠心分離処理により洗浄水から異物を分離する遠心分離機と、をさらに備えるようにしてもよい。かかる構成によれば、傾斜管沈澱池の上流には収容タンクが位置することになるため、傾斜管沈澱池への洗浄水の流入速度を抑えることができ、傾斜管沈澱池における異物除去を効率よく行うことができる。
【００１２】
また、上記の浄水システムにおいて、前記収容タンクの水位が限界水位に達したとき又は限界水位を超えた状態が所定時間継続したとき、前記回帰処理が中止されるようにしてもよい。収容タンクの水位が限界水位に達したとき又は限界水位を超えた状態が所定時間継続したときは、重不具合が発生したとしてＥＧＲが停止するのが望ましい。ＥＧＲが停止された場合には回帰処理は不要となるため、このとき回帰処理を中止することで不要な制御を回避することができる。
【発明の効果】
【００１３】
上記の浄水システムによれば、浄化処理ラインが１つの場合であっても、軽微な不具合であればＥＧＲの停止を回避することができる。
【図面の簡単な説明】
【００１４】
【図１】図１は、実施形態に係る浄水システムのブロック図である。
【図２】図２は、図１に示すスクラバーの概略断面図である。
【図３】図３は、図１に示す傾斜管沈澱池の概略断面図である。
【図４】図４は、図１に示す遠心分離機の概略断面図である。
【図５】図５は、実施形態に係る浄水システムの制御系統のブロック図である。
【発明を実施するための形態】
【００１５】
＜浄水システムの全体構成＞
まず、本実施形態に係る浄水システム１００の全体構成について説明する。図１は、浄水システム１００のブロック図である。浄水システム１００では、スクラバー１０１で使用した洗浄水の浄化処理が行われる。
【００１６】
ここで、浄水システム１００を説明する前に、スクラバー１０１の構成について説明する。図２は、スクラバー１０１の概略断面図である。本実施形態のスクラバー１０１は、洗浄部１０２、冷却部１０３、及び貯水部１０４が一体となった一体型のスクラバーである。貯水部１０４からポンプ１０５で汲み上げられた洗浄水は洗浄部１０２内に配置された噴射ノズル１０６から噴射される。排気ガスが洗浄部１０２を通過する際、この噴射された洗浄水によって排気ガス中のＳＰＭ等が捕獲される。その後、噴射された洗浄水は自重によって落下し、貯水部１０４に溜められる。なお、スクラバー１０１には、貯水部１０４における洗浄水の水位（以下、単に「水位」と称す）を測定するスクラバー水位計１０７が設けられている。
【００１７】
排気ガスは、洗浄部１０２を通過後、冷却部１０３に流入する。冷却部１０３に流入した排気ガスは、熱交換機１０８によって冷却され、多量の凝集水が発生する。さらに、熱交換機１０８の下流に設けられたミストキャッチャ１０９によって、排気ガス中の霧状化した洗浄水が捕獲される。熱交換機１０８で発生した凝集水、及びミストキャッチャ１０９で捕獲された洗浄水は自重によって落下し、貯水部１０４に溜められる。なお、はじめから排気ガスに含まれる水分も、凝集水となって洗浄水に取り込まれる。
【００１８】
続いて、浄水システム１００の構成について説明する。図１に示すように、浄水システム１００は、上流側から順に、抜取調整弁１０、未処理水収容タンク１１、供給ポンプ１２、傾斜管沈澱池１３、第１回帰弁１４、遠心分離機１５、処理水収容タンク１６、返送ポンプ１７、遮断弁１８、返送調整弁１９、及び、第２回帰弁２０を備えている。以下、これらの各構成要素について順に説明する。
【００１９】
抜取調整弁１０は、スクラバー１０１から抜き取る洗浄水の抜取量を調整する弁である。浄水システム１００内には、スクラバー１０１から抜き取った洗浄水をスクラバー１０１へ返すまでの流路を形成する循環配管２１が設けられている。抜取調整弁１０は、この循環配管２１の入口付近であって、未処理水収容タンク１１よりも上流に位置している。
【００２０】
未処理水収容タンク１１は、スクラバー１０１から抜き取った洗浄水を一時的に収容するタンクであって、抜取調整弁１０よりも下流に位置している。スクラバー１０１内は排気ガスが流入することから非常に高い圧力であるのに対し、未処理水収容タンク１１内は大気圧に近い圧力である。この両者の圧力差によって、スクラバー１０１内の洗浄水は、未処理水収容タンク１１まで搬送される。また、未処理水収容タンク１１には洗浄水の水位を測定する未処理水収容タンク水位計２２が設けられている。なお、未処理水収容タンク１１から洗浄水がオーバーフローすると、オーバーフローした洗浄水は船体に設けられた別のタンク（図示せず）に収容される。
【００２１】
供給ポンプ１２は、未処理水収容タンク１１から傾斜管沈澱池１３及び遠心分離機１５に洗浄水を供給するためのポンプであって、未処理水収容タンク１１よりも下流に位置している。供給ポンプ１２は、内部に空気が混じると故障の原因となるところ、供給ポンプ１２のすぐ上流には未処理水収容タンク１１が配置されているため、供給ポンプ１２の内部には洗浄水が満たされた状態が維持される。
【００２２】
傾斜管沈澱池１３は、遠心分離機１５とともに浄化処理部２３を構成する装置であって、供給ポンプ１２よりも下流に位置している。図３は、傾斜管沈澱池１３の概略断面図である。図３に示すように、傾斜管沈澱池１３は、洗浄水が満たされた水槽２４の内部に、水平方向の断面が矩形であって所定の角度（例えば６０度）に傾斜した傾斜管２５が多数設けられている。水槽２４に流入した洗浄水は、図３の矢印で示すように、底面に向かった後、傾斜管２５を下から上へと抜けて排出される。洗浄水が傾斜管２５を通過する際、洗浄水内の異物（ばいじん）が傾斜管２５の傾斜面２６に沈殿する。このような傾斜管２５の傾斜面２６にばいじんを沈殿させると、ばいじんが沈殿するまでに移動する距離が短いことから、速やかに沈殿を完了させることができる。なお、傾斜管沈澱池１３の上流には未処理水収容タンク１１が位置しているため、傾斜管沈澱池１３への洗浄水の流入速度を抑えることができ、傾斜管沈澱池１３おける異物除去を効率よく行うことができる。
【００２３】
第１回帰弁１４は、遠心分離機１５の手前にまで流れてきた洗浄水を遠心分離機１５と未処理水収容タンク１１に振り分ける弁であって、傾斜管沈殿池１３よりも下流に位置している。第１回帰弁１４は、いわゆる三方弁であって、未処理水収容タンク１１へ延びる第１回帰配管２７が連結されている。
【００２４】
遠心分離機１５は、傾斜管沈殿池１３とともに浄化処理部２３を構成する装置であって、第１回帰弁１４よりも下流に位置している。図４は、遠心分離機１５の概略断面図面である。図４に示すように、遠心分離機１５は、収容容器２８内で高速回転する軸管２９及び複数の回転板３０を有している。各回転板３０は、傘状（円錐状）の形状を有しており、周方向に等間隔で並ぶ複数の流通孔３１が形成されている。遠心分離機１５に流入した洗浄水は、軸管２９の内部及び各回転板３０の流通孔３１を順に通過する。そして、洗浄水が回転板３０を通過する際、比重の大きいばいじん（異物）は遠心力によって収容容器２８の側壁に飛ばされる。このように、遠心分離機１５では遠心分離処理により、洗浄水から異物を分離することができる。なお、遠心分離機１５の内部は、常に洗浄水を満たしておく必要がある。
【００２５】
処理水収容タンク１６は、浄化処理部２３で浄化処理された洗浄水を一時的に溜めるタンクであって、遠心分離機１５よりも下流に位置している。処理水収容タンク１６には、処理水収容タンク１６の水位を測定する処理水収容タンク水位計３２と洗浄水の水質を測定する水質計３３が設けられている。水質計３３は、洗浄水のｐＨ値、濁度、油分を測定することができる。なお、水質計３３は、後述の放流配管３５等に設けてもよい。
【００２６】
返送ポンプ１７は、浄化処理した洗浄水をスクラバー１０１へ返送し又は船外へ供給するためのポンプであって、処理水収容タンク１６よりも下流に位置している。返送ポンプ１７は、前述した供給ポンプ１２と同様に、内部に空気が混じると故障の原因となるところ、返送ポンプ１７のすぐ上流には処理水収容タンク１６が配置されているため、返送ポンプ１７の内部には洗浄水が満たされた状態が維持される。
【００２７】
遮断弁１８は、洗浄水の流れを止める弁であって、返送ポンプ１７よりも下流に位置している。遮断弁１８と返送ポンプ１７の間には、処理水収容タンク１６に延びる戻り配管３４が設けられている。これにより、返送ポンプ１７が駆動した状態で遮断弁１８が閉止されたとしても、返送ポンプ１７から排出された洗浄水は処理水収容タンク１６に戻るため、返送ポンプ１７の出口圧力が過上昇するのを防ぐことができる。
【００２８】
返送調整弁１９は、スクラバー１０１に返送する洗浄水の量を調整する弁であって、遮断弁１８よりも下流に位置している。返送調整弁１９は三方弁であり、船外に向かって延びる放流配管３５が連結されている。これにより、返送調整弁１９は、浄化処理が行われた洗浄水をスクラバー１０１と放流配管３５に振り分けることができる。
【００２９】
第２回帰弁２０は、放流配管３５に設けられた弁である。第２回帰弁２０は、三方弁であり、未処理水収容タンク１１に向かって延びる第２回帰配管３６が連結されている。これにより、返送調整弁１９を通過した洗浄水を船外と未処理水収容タンク１１に振り分けることができる。
【００３０】
以上が、本実施形態に係る浄水システム１００の全体構成である。上記のように、本実施形態に係る浄水システム１００は、傾斜管沈殿池１３と遠心分離機１５が１つずつ直列に配置されているため、浄化処理ラインが１つのシステムである。なお、本発明は、洗浄処理ラインが１つである浄水システムにとって非常に有効であるが、洗浄処理ラインを複数有する浄水システムにも適用することができる。
【００３１】
＜制御系統の構成＞
次に、本実施形態に係る浄水システム１００の制御系の構成について説明する。図５は、本実施形態の制御系の構成を示したブロック図である。浄水システム１００は、ＣＰＵ、ＲＯＭ、ＲＡＭ等からなる制御装置４０を備えている。制御装置４０は、スクラバー水位計１０７、未処理水収容タンク水位計２２、処理水収容タンク水位計３２、及び水質計３３と電気的に接続されており、これらの計器から送信される測定信号に基づいて、スクラバー１０１の水位、未処理水収容タンク１１の水位、処理水収容タンク１６の水位、及び浄化処理後の洗浄水の水質についての情報を取得することができる。
【００３２】
また、制御装置４０は、遠心分離機１５、供給ポンプ１２、及び返送ポンプ１７と電気的に接続されている。これらの装置は、発生した不具合について自己診断を行う機能を有しており、不具合が発生したと判断したときは不具合信号（軽不具合信号及び重不具合信号）を送信する。制御装置４０は、これらの装置から送信される不具合信号に基づいて各装置の不具合情報を取得するとともに、これらの装置に制御信号を送信して種々の制御を行う。また、遠心分離機１５は、第１回帰弁１４と電気的に接続されており、第１回帰弁１４に制御信号を送信して開閉制御を行う。
【００３３】
さらに、制御装置４０は、抜取調整弁１０、遮断弁１８、返送調整弁１９、及び第２回帰弁２０と電気的に接続されており、これらの弁に制御信号を送信して、これらの弁の開閉又は開度を制御している。また、制御装置４０は、ＥＧＲの実行及び停止を制御するＥＧＲ制御装置１１０とも電気的に接続されており、ＥＧＲ制御装置１１０にも不具合信号（軽不具合信号及び重不具合信号）を送信する。
【００３４】
＜通常運転時の制御＞
次に、通常運転時における浄水システム１００の制御について説明する。まず、制御装置４０は、未処理水収容タンク１１から浄化処理部２３（傾斜管沈殿池１３及び遠心分離機１５）へ供給する洗浄水の量が一定となるように、供給ポンプ１２の回転数等を制御する。その上で、未処理水収容タンク１１の水位が一定となるように、抜取調整弁１０の開度を制御する。つまり、抜取調整弁１０は、供給ポンプ１２が浄化処理部２３に供給する洗浄水と同じ量の洗浄水をスクラバー１０１から抜き取るように制御される。これにより、未処理水収容タンク１１から洗浄水がオーバーフローしたり、洗浄水が減って供給ポンプ１２が空気を吸い込んだりするのを防ぐことができる。
【００３５】
また、遠心分離機１５は、傾斜管沈澱池１３から遠心分離機１５に洗浄水が流れるように（遠心分離機１５側が開となるように）、第１回帰弁１４の開方向を制御する。なお、返送ポンプ１７については、回転数等の制御は行われず、一旦稼働すると所定の運転条件が維持される。さらに、制御装置４０は、処理水収容タンク１６の水位が所定の放流基準位置を超えたときに開放し、開放後は所定の下限位置を下回ったときに閉止するよう遮断弁１８を制御する。通常、遮断弁１８が一旦開放されると、その状態が維持される。
【００３６】
制御装置４０は、スクラバー１０１の水位が一定となるように返送調整弁１９を制御する。具体的には、返送調整弁１９は、スクラバー１０１の水位が所定値を下回ったときには洗浄水をスクラバー１０１に振り分け（スクラバー１０１側に開とし）、それ以外のときには洗浄水を放流配管３５に振り分ける（放流配管３５側に開となる）。また、制御装置４０は、返送調整弁１９を通過した洗浄水が船外方向に流れる（船外側に開となる）ように第２回帰弁２０を制御する。
【００３７】
前述したとおり、排気ガスに含まれる水分は、凝集水となってスクラバー１０１内の洗浄水に加えられる。本実施形態では、この洗浄水に加わる排気ガスの水分よりも多くの洗浄水をスクラバー１０１から抜き取っている。そのため、制御装置４０は、スクラバー１０１の水位を一定にするために、浄水システム１００で浄化した洗浄水を一定量以上スクラバー１０１へ供給している。
【００３８】
＜軽不具合時の制御１＞
次に、軽不具合時における制御について説明する。軽不具合は、修復作業が必要であるが、短時間でその修復作業が完了すると見込まれる不具合をいう。まず、軽不具合時の制御のうち、遠心分離機１５に関する軽不具合時の制御について説明する。遠心分離機１５に関する不具合には、遠心分離機１５への洗浄水の供給量の低下などが含まれる。
【００３９】
遠心分離機１５は、自己診断によって軽不具合が発生したと判断すると、浄化処理を一旦止めるとともに制御装置４０に軽不具合信号を送信する。これと同時に、遠心分離機１５は、回帰処理を行う。具体的には、遠心分離機１５は、第１回帰弁１４を未処理水収容タンク１１側に開とし、傾斜管沈澱池１３から流れる洗浄水を遠心分離機１５の手前から未処理水収容タンク１１に戻す処理を行う。これにより、遠心分離機１５には洗浄水は一時的に流れなくなり、その間に遠心分離機１５に対して修復作業を行うことができる。なお、制御装置４０は、遠心分離機１５から送信された軽不具合信号を受信すると、アラームを発する。これにより作業者は、遠心分離機１５における軽不具合の発生を認知し、遠心分離機１５の修復作業を行う。
【００４０】
これと同時に、制御装置４０は、抜取調整弁１０の制御を、未処理水収容タンク１１の水位を一定とする制御から、スクラバー１０１の水位を一定とする制御に切り換える。通常時の制御であれば、スクラバー１０１への洗浄水の供給を停止したとしても、排気ガスに含まれる水分によってスクラバー１０１内の洗浄水は増加してしまう。一方、スクラバー１０１の水位が一定となるように抜取調整弁１０の制御を切り換えれば、スクラバー１０１は正常な運転を行うことが可能であり、その結果、ＥＧＲの停止を回避することができる。
【００４１】
＜軽不具合時の制御２＞
続いて、軽不具合時の制御のうち、浄化処理した洗浄水が所定の水質基準を満たしていないときの制御について説明する。この場合、軽不具合の原因が、例えば水質計３３への汚れの付着であれば、その汚れを拭き取れば復旧可能である。まず、制御装置４０は、水質計３３から送信された測定信号に基づいて浄化処理した洗浄水の水質情報を取得し、一定の水質基準を満たしているか判定する。制御装置４０は、浄化処理した洗浄水が一定の水質基準を満たしていないと判定したとき、回帰処理を行う。具体的には、制御装置４０は、第２回帰弁２０を未処理水収容タンク１１側に開とし、浄化処理を行った洗浄水を第２回帰配管３６から未処理水収容タンク１１に戻す処理を行う。これにより、洗浄水は一時的に船外放流されなくなるため、その間に所定の修復作業を行うことができる。
【００４２】
これと同時に、制御装置４０は、抜取調整弁１０の制御を、未処理水収容タンク１１の水位を一定とする制御から、スクラバー１０１の水位を一定とする制御に切り換える。前述のとおり、抜取調整弁１０の制御を切り換えることにより、スクラバー１０１は正常な運転を行うことが可能であり、ＥＧＲの停止を回避することができる。
【００４３】
なお、以上では、各回帰処理において洗浄水が未処理水収容タンク１１に戻される場合について説明したが、必ずしも未処理水収容タンク１１に戻さなくてもよい。例えば、洗浄水を未処理水収容タンク１１と供給ポンプ１２の間に戻すようにしてもよい。
【００４４】
＜重不具合時の制御＞
次に、重不具合時における制御について説明する。重不具合は、修復作業が短時間では修了できないと見込まれる不具合である。制御装置４０は、未処理水収容タンク水位計２２から送信される測定信号に基づいて、未処理水収容タンク１１の水位が限界水位に達したとき又は限界水位を超えた状態が所定時間継続したと判断したときには、重不具合時の制御を行う。上記の限界水位にはオーバーフロー水位が含まれる。
【００４５】
なお、排気ガスに含まれる水分はスクラバー１０１内の洗浄水に加えられるため、回帰処理の際にスクラバー１０１の水位を一定とする制御が行われると、未処理水収容タンク１１における洗浄水の水位が次第に上昇してゆく。そのため、修復作業に時間がかかって回帰処理を長時間続けると、未処理水収容タンク１１の水位が限界水位に達することがある。この場合、当初の軽不具合が重不具合に変更されることになる。
【００４６】
また、遠心分離機１５の破損、供給ポンプ１２の破損、返送ポンプ１７の破損、が生じたときは、自己診断の結果に基づいて各機器から制御装置４０に重不具合信号が送信される。制御装置４０はこの重不具合信号を受信すると重不具合時の制御を行う。なお、制御装置４０が各機器の破損を判定する方法としては、各機器から重不具合信号が送信される場合に限らず、制御装置４０が図示しない周辺機器から測定信号を受信し、その測定信号に基づいて各機器の破損を判定してもよい。
【００４７】
重不具合時の制御では、制御装置４０は、回帰処理が行われている場合は回帰処理を停止し又は停止させる。そして、供給ポンプ１２及び返送ポンプ１７を停止するとともに、ＥＧＲ制御装置１１０に重不具合信号を送信する。ＥＧＲ制御装置１１０は、重不具合信号を受信すると、図示しないＥＧＲブロワを停止するとともにＥＧＲ流路に設けられた弁を閉止してＥＧＲを中止する。
【００４８】
以上が本実施形態に係る浄水システム１００の説明である。このように、本実施形態に係る浄水システム１００によれば、浄化処理ラインが１つしかない場合であっても、軽微な不具合であればＥＧＲの停止を回避することができる。
【産業上の利用可能性】
【００４９】
本発明に係る浄水システムは、浄化処理ラインが１つしかない場合であっても、軽微な不具合であればＥＧＲの停止を回避することができる。よって、スクラバーの浄水システムの技術分野において有益である。
【符号の説明】
【００５０】
１０  抜取調整弁
１１  未処理水収容タンク（収容タンク）
１３  傾斜管沈澱池
２６  傾斜面
１５  遠心分離機
１００  浄水システム
１０１  スクラバー
【図１】
2015116529.tif 000003
【図２】
2015116529.tif 000004
【図５】
2015116529.tif 000005
【図３】
2015116529.tif 000006
【図４】
2015116529.tif 000007